(57)【特許請求の範囲】
【請求項１】
１個以上のデバイスに通信可能に接続される機能実行装置であって、
複数個の設定項目に対応する複数個の設定値を格納するメモリと、
前記メモリに格納されている前記複数個の設定値を用いて、機能を実行可能である実行部と、
前記１個以上のデバイスのうちの対象デバイスをユーザが指定するためのデバイス画面を表わすデバイス画面データと、前記複数個の設定項目のうちの１個以上の設定項目を前記ユーザが指定するための項目画面を表わす項目画面データと、を表示装置に供給する画面データ供給部と、
前記対象デバイスに関するデバイス情報を取得する取得部と、
前記メモリに格納されている前記複数個の設定値のうち、前記項目画面上で前記ユーザによって指定される前記１個以上の設定項目に対応する１個以上の設定値を、前記対象デバイスに送信する送信部と、を備え、
前記画面データ供給部は、
前記デバイス画面上で第１の対象デバイスのみが指定される場合に、前記第１の対象デバイスから取得される第１のデバイス情報を用いて、前記複数個の設定項目のうちの前記第１の対象デバイスに設定可能な第１種の設定項目が、前記複数個の設定項目のうちの前記第１の対象デバイスに設定不可能な第２種の設定項目と区別された第１の項目画面を表わす第１の項目画面データを生成し、
前記デバイス画面上で、前記第１の対象デバイスと、前記第１の対象デバイスと異なる第２の対象デバイスと、が指定される場合に、前記第１のデバイス情報と、前記第２の対象デバイスから取得される第２のデバイス情報と、を用いて、前記複数個の設定項目のうちの前記第１及び第２の対象デバイスの両方に設定可能な第３種の設定項目が、前記複数個の設定項目のうちの前記第１及び第２の対象デバイスの少なくとも一方に設定不可能な第４種の設定項目と区別された第２の項目画面であって、前記第１の項目画面と異なる前記第２の項目画面を表わす第２の項目画面データを生成する、機能実行装置。
【請求項２】
前記画面データ供給部は、前記デバイス画面上で前記第１の対象デバイスのみが指定される場合に、前記ユーザが指定不可能な態様で前記第２種の設定項目が表示されるように、前記第１の項目画面データを生成する、請求項１に記載の機能実行装置。
【請求項３】
前記画面データ供給部は、さらに、
前記デバイス画面上で前記第１の対象デバイスのみが指定される場合において、前記複数個の設定項目のうちの第１の設定項目に対応するＭ個以上（前記Ｍは２以上の整数）の設定値が前記メモリに格納されており、かつ、前記第１のデバイス情報が、前記第１の設定項目に対応するＮ個以下（前記Ｎは前記Ｍより小さい１以上の整数）の設定値のみを前記第１の対象デバイスに設定可能であることを示す場合に、
前記Ｍ個以上の設定値の中から、前記Ｎ個以下の設定値を前記ユーザが選択するための選択画面を表わす選択画面データを前記表示装置に供給し、
前記送信部は、前記デバイス画面上で前記第１の対象デバイスのみが指定される場合において、前記第１の設定画面上で前記第１の設定項目が前記ユーザによって指定され、かつ、前記選択画面上で前記Ｎ個以下の設定値が前記ユーザによって選択される場合に、前記Ｎ個以下の設定値を、前記第１の対象デバイスに送信する、請求項１又は２に記載の機能実行装置。
【請求項４】
前記画面データ供給部は、さらに、
前記デバイス画面上で前記第２の対象デバイスのみが指定される場合に、
前記第２の対象デバイスから取得される前記第２のデバイス情報を用いて、前記複数個の設定項目のうちの前記第２の対象デバイスに設定可能な第５種の設定項目が、前記複数個の設定項目のうちの前記第２の対象デバイスに設定不可能な第６種の設定項目と区別された第３の項目画面であって、前記第１の項目画面と異なる前記第３の項目画面を表わす第３の項目画面データを生成する、請求項１から３のいずれか一項に記載の機能実行装置。
【請求項５】
前記画面データ供給部は、
前記デバイス画面上で前記第１の対象デバイスと前記第２の対象デバイスとが指定される場合において、前記第４種の設定項目が、前記第１及び第２の対象デバイスのうちの一方の対象デバイスのみに設定可能である場合に、
前記ユーザが指定可能な態様で前記第４種の設定項目が表示され、かつ、前記第４種の設定項目に関連付けて、前記一方の対象デバイスのみに設定可能であることを示す特定の情報が表示されるように、前記第２の項目画面データを生成する、請求項１から４のいずれか一項に記載の機能実行装置。
【請求項６】
前記項目画面上で前記ユーザによって第２の設定項目が指定され、かつ、前記ユーザから第１の指示を受ける場合に、前記第２の設定項目を示す指定済み情報を前記メモリに格納させる格納制御部をさらに備え、
前記画面データ供給部は、前記ユーザから第２の指示を受ける場合に、前記指定済み情報が示す前記第２の設定項目が指定済みの態様で表示されるように、新たな項目画面データを生成する、請求項１から５のいずれか一項に記載の機能実行装置。
【請求項７】
前記画面データ供給部は、ウェブブラウザを有する前記表示装置に、前記ウェブブラウザが解釈可能な形式を有する前記デバイス画面データと、前記ウェブブラウザが解釈可能な形式を有する前記項目画面データと、を供給する、請求項１から６のいずれか一項に記載の機能実行装置。
【請求項８】
１個以上のデバイスに通信可能に接続される機能実行装置であって、
複数個の設定項目に対応する複数個の設定値を格納するメモリと、
前記メモリに格納されている前記複数個の設定値を用いて、機能を実行可能である実行部と、
前記１個以上のデバイスのうちの対象デバイスをユーザが指定するためのデバイス画面を表わすデバイス画面データと、前記複数個の設定項目のうちの１個以上の設定項目を前記ユーザが指定するための項目画面を表わす項目画面データと、を表示装置に供給する画面データ供給部と、
前記対象デバイスに関するデバイス情報を取得する取得部と、
前記メモリに格納されている前記複数個の設定値のうち、前記項目画面上で前記ユーザによって指定される前記１個以上の設定項目に対応する１個以上の設定値を、前記対象デバイスに送信する送信部と、
格納制御部と、を備え、
前記画面データ供給部は、前記デバイス画面上で第１の対象デバイスのみが指定される場合に、前記第１の対象デバイスから取得される第１のデバイス情報を用いて、前記複数個の設定項目のうちの前記第１の対象デバイスに設定可能な第１種の設定項目が、前記複数個の設定項目のうちの前記第１の対象デバイスに設定不可能な第２種の設定項目と区別された第１の項目画面を表わす第１の項目画面データを生成し、
前記格納制御部は、前記デバイス画面上で前記ユーザによって第２の対象デバイスが指定され、前記項目画面上で前記ユーザによって特定の設定項目が指定され、かつ、前記ユーザから特定の指示を受ける場合に、前記第２の対象デバイスと前記特定の設定項目とを示すプロファイル情報を前記メモリに格納させ、
前記送信部は、前記ユーザによって予め指定されるタイミングで、前記メモリに格納されている前記複数個の設定値のうち、前記プロファイル情報が示す前記特定の設定項目に対応する特定の設定値を、前記プロファイル情報が示す前記第２の対象デバイスに送信する、機能実行装置。
【請求項９】
コンピュータに、以下の各処理、即ち、
機能実行装置に通信可能に接続される１個以上のデバイスのうちの対象デバイスをユーザが指定するためのデバイス画面を表わすデバイス画面データと、前記機能実行装置が機能を実行するための複数個の設定項目のうちの１個以上の設定項目を前記ユーザが指定するための項目画面を表わす項目画面データと、を表示装置に供給する画面データ供給処理と、
前記対象デバイスに関するデバイス情報を取得する取得処理と、
前記複数個の設定値のうち、前記項目画面上で前記ユーザによって指定される前記１個以上の設定項目に対応する１個以上の設定値を前記対象デバイスに設定させるための情報を送信する送信処理と、を実行させ、
前記画面データ供給処理は、
前記デバイス画面上で第１の対象デバイスのみが指定される場合に、前記第１の対象デバイスから取得される第１のデバイス情報を用いて、前記複数個の設定項目のうちの前記第１の対象デバイスに設定可能な第１種の設定項目が、前記複数個の設定項目のうちの前記第１の対象デバイスに設定不可能な第２種の設定項目と区別された第１の項目画面を表わす第１の項目画面データを生成すること、及び、
前記デバイス画面上で、前記第１の対象デバイスと、前記第１の対象デバイスと異なる第２の対象デバイスと、が指定される場合に、前記第１のデバイス情報と、前記第２の対象デバイスから取得される第２のデバイス情報と、を用いて、前記複数個の設定項目のうちの前記第１及び第２の対象デバイスの両方に設定可能な第３種の設定項目が、前記複数個の設定項目のうちの前記第１及び第２の対象デバイスの少なくとも一方に設定不可能な第４種の設定項目と区別された第２の項目画面であって、前記第１の項目画面と異なる前記第２の項目画面を表わす第２の項目画面データを生成すること、を含む、コンピュータプログラム。
【発明の詳細な説明】
【技術分野】
【０００１】
本明細書では、１個以上のデバイスに通信可能に接続される機能実行装置を開示する。
【背景技術】
【０００２】
例えば、特許文献１には、ホストコンピュータに通信可能に接続されるプリンタが開示されている。プリンタは、ウェブサーバ機能を備えている。ホストコンピュータは、自身に搭載されているウェブブラウザを用いて、プリンタのウェブサーバにアクセスする。この場合、プリンタのウェブサーバは、プリンタの各種の設定値をホストコンピュータに送信する。ホストコンピュータのウェブブラウザは、プリンタの各種の設定値を表示することができる。これにより、ホストコンピュータのユーザは、プリンタの各種の設定値を知ることができ、各種の設定値を変更することができる。
【先行技術文献】
【特許文献】
【０００３】
【特許文献１】特開平１０−１３６１４２号公報
【発明の概要】
【発明が解決しようとする課題】
【０００４】
上記の特許文献１には、プリンタの設定値を他のデバイスに設定（即ちコピー）することについて、何ら開示されていない。本明細書では、ユーザが、機能実行装置（上記の例ではプリンタ）の設定値を他のデバイスに容易に設定することができる技術を提供する。
【課題を解決するための手段】
【０００５】
本明細書によって開示される１つの技術は、１個以上のデバイスに通信可能に接続される機能実行装置である。機能実行装置は、メモリと、実行部と、画面データ供給部と、取得部と、送信部と、を備える。メモリは、複数個の設定項目に対応する複数個の設定値を格納する。実行部は、メモリに格納されている複数個の設定値を用いて、機能を実行可能である。画面データ供給部は、１個以上のデバイスのうちの対象デバイスをユーザが指定するためのデバイス画面を表わすデバイス画面データと、複数個の設定項目のうちの１個以上の設定項目をユーザが指定するための項目画面を表わす項目画面データと、を表示装置に供給する。取得部は、対象デバイスに関するデバイス情報を取得する。送信部は、メモリに格納されている複数個の設定値のうち、項目画面上でユーザによって指定される１個以上の設定項目に対応する１個以上の設定値を、対象デバイスに送信する。画面データ供給部は、デバイス画面上で第１の対象デバイスのみが指定される第１の場合に、第１の対象デバイスから取得される第１のデバイス情報を用いて、複数個の設定項目のうちの第１の対象デバイスに設定可能な第１種の設定項目が、複数個の設定項目のうちの第１の対象デバイスに設定不可能な第２種の設定項目と区別された第１の項目画面を表わす第１の項目画面データを生成する。
【０００６】
上記の構成では、機能実行装置がデバイス画面データと項目画面データとを表示装置に供給するために、ユーザは、デバイス画面上で対象デバイスを指定し、項目画面上で１個以上の設定項目を指定することができる。対象デバイスの指定及び上記の１個以上の設定項目の指定がユーザによって実行されると、機能実行装置は、上記の１個以上の設定項目に対応する１個以上の設定値を、対象デバイスに送信する。この結果、上記の１個以上の設定値が対象デバイスに設定（即ちコピー）される。しかも、機能実行装置は、デバイス画面上で第１の対象デバイスのみが指定される第１の場合には、第１の対象デバイスから取得される第１のデバイス情報を用いて、第１の対象デバイスに設定可能な第１種の設定項目が、第１の対象デバイスに設定不可能な第２種の設定項目と区別された第１の項目画面を表わす第１の項目画面データを生成する。従って、ユーザは、第１の対象デバイスに設定可能な第１種の設定項目を容易に把握することができ、この結果、第１の対象デバイスに設定（即ちコピー）されるべき設定項目を容易に指定することができる。上記の構成によると、ユーザは、機能実行装置の設定値を、第１の対象デバイスに容易に設定することができる。
【０００７】
なお、上記の機能実行装置の機能を実現するための制御方法、コンピュータプログラム、及び、当該コンピュータプログラムを格納するコンピュータ読取可能記憶媒体も新規で有用である。
【図面の簡単な説明】
【０００８】
【図１】ネットワークシステムの構成を示す。
【図２】トップ画面、コピーメイン画面、及び、コピー先指定画面の一例を示す。
【図３】コピーメイン画面の一例を示す。
【図４】コピーメイン画面の一例を示す。
【図５】アドレス選択画面、及び、保護アドレス画面の一例を示す。
【図６】プロファイル画面の一例を示す。
【図７】設定画面の一例を示す。
【図８】設定のコピーに関する各処理のシーケンス図を示す。
【図９】図８の続きのシーケンス図を示す。
【図１０】グループ化に関する各処理のシーケンス図を示す。
【図１１】アドレス選択に関する各処理のシーケンス図を示す。
【図１２】プロファイルに関する各処理のシーケンス図を示す。
【発明を実施するための形態】
【０００９】
（システムの構成）
図面を参照して実施例を説明する。図１に示すように、ネットワークシステム２は、ＰＣ８０と、ＰＣ８０の周辺機器である複数個の多機能機１０，９２〜９６と、を備える。ＰＣ８０と各多機能機１０，９２〜９６とは、ネットワークケーブル４を介して、相互に通信可能である。
【００１０】
（多機能機１０の構成）
多機能機１０は、印刷機能、スキャン機能、及び、ＦＡＸ機能を含む多機能を実行可能である。多機能機１０は、表示部１２と、操作部１４と、印刷実行部１６と、スキャン実行部１８と、ＦＡＸ実行部２０と、制御部３０と、ネットワークインターフェイス５０と、ＰＳＴＮインターフェイス５２と、を備える。各部１０〜２０，３０，５０，５２は、バス線１１に接続されている。表示部１２は、様々な情報を表示するためのディスプレイである。操作部１４は、複数のキーによって構成されている。ユーザは、操作部１４を操作することによって、様々な指示を多機能機１０に与えることができる。印刷実行部１６は、インクジェット方式、レーザ方式等の印刷機構を備える。スキャン実行部１８は、ＣＣＤ、ＣＩＳ等のイメージセンサを備える。ＦＡＸ実行部２０は、ＰＳＴＮ（Public Switched Telephone Network）４を介するＦＡＸ通信を実行するためのハードウェア（例えばモデム）を備える。ネットワークインターフェイス５０は、ネットワークケーブル４に接続されている。ＰＳＴＮインターフェイス５２は、ＰＳＴＮ４に接続されている。
【００１１】
制御部３０は、ＣＰＵ３２と、メモリ３４と、を備える。ＣＰＵ３２は、メモリ３４に格納されているプログラム３６，３８に従って、様々な処理を実行する。ＣＰＵ３２が機能実行プログラム３６に従って処理を実行することによって、実行部６０の機能が実現される。また、ＣＰＵ３２がウェブサーバプログラム３８に従って処理を実行することによって、各部６２〜７０の機能が実現される。メモリ３４は、設定値格納領域４０と、設定関係情報格納領域４２と、を備える。設定値格納領域４０は、多機能機１０の複数個の設定項目に対応する複数個の設定値（即ち多機能機１０に現在設定されている複数個の設定値）を格納する。複数個の設定項目の一例として、デフォルトの印刷用紙サイズ、デフォルトの印刷解像度、デフォルトのコピー用紙サイズ、デフォルトのスキャン解像度、スキャンデータの格納場所を示す格納場所情報、アドレス帳等を挙げることができる。ユーザは、操作部１４を操作することによって、設定値格納領域４０内の各値を変更することができる。設定関係情報格納領域４２は、後述のグループ情報（図１０のＳ７２参照）、プロファイル情報（図１２のＳ１２６参照）等を格納する。
【００１２】
（他の多機能機９２〜９６の構成）
他の多機能機９２〜９６は、多機能機１０と同様の構成を備える。ただし、各多機能機１０，９２〜９６に設定可能な設定項目の種類は、異なり得る。例えば、多機能機１０のモデル（機種）と多機能機９２のモデルとが異なる場合には、多機能機１０には特定の設定項目（例えばデフォルトの印刷解像度）を設定可能であるが、多機能機９２には上記の特定の設定項目を設定不可能である可能性がある。また、この場合、例えば、多機能機１０と多機能機９２のいずれにもアドレス帳（設定項目の一種）を設定可能であるが、多機能機１０のアドレス帳と多機能機９２のアドレス帳とで格納可能なアドレス数が異なる可能性がある。本実施例では、各多機能機１０，９２〜９６のモデルが互いに異なる場合を例として、以下の説明を続ける。なお、多機能機９２，９４，９６は、それぞれ、「ＡＡＡ」、「ＢＢＢ」、「ＣＣＣ」というノード名を有する。
【００１３】
（ＰＣ８０の構成）
ＰＣ８０は、表示部８２と、操作部８４と、制御部８６と、を備える。表示部８２は、様々な情報を表示するためのディスプレイである。操作部８４は、キーボード及びマウスによって構成されている。ユーザは、操作部８４を操作することによって、様々な指示をＰＣ８０に与えることができる。制御部８６は、図示省略のＣＰＵ、ＲＯＭ、ＲＡＭ等を備える。制御部８６のＲＯＭには、ウェブブラウザプログラムが格納されている。制御部８６のＣＰＵがウェブブラウザプログラムに従って処理を実行することによって、ウェブブラウザ９０の機能が実現される。
【００１４】
（多機能機１０が実行する機能実行処理）
次いで、多機能機１０が実行する機能実行処理の内容について説明する。実行部６０は、メモリ３４の設定値格納領域４０に格納されている複数個の設定値を用いて、様々な機能を実行することができる。例えば、実行部６０は、印刷機能を実行する際に、設定値格納領域４０に格納されているデフォルトの印刷用紙サイズ及びデフォルトの印刷解像度の印刷が実行されるように、印刷実行部１６に指示する。また、例えば、実行部６０は、スキャン機能を実行する際に、設定値格納領域４０に格納されているデフォルトのスキャン解像度のスキャンが実行されるように、スキャン実行部１８に指示する。また、例えば、実行部６０は、ＦＡＸ機納を実行する際に、設定値格納領域４０に格納されているデフォルトのスキャン解像度のスキャンが実行されるように、スキャン実行部１８に指示し、スキャン実行部１８によって生成されるスキャンデータの送信を、ＦＡＸ実行部２０に実行させる。この際に、例えば、実行部６０は、設定値格納領域４０に格納されているアドレス帳からユーザによって指定されるＦＡＸ番号を送信先としてスキャンデータが送信されるように、ＦＡＸ実行部２０に指示する。
【００１５】
なお、実行部６０は、上記の印刷機能、スキャン機能、及び、ＦＡＸ機能に限らずに、設定値格納領域４０に格納されている設定値（例えばアドレス帳）を用いて、他の機能（例えば電子メール機能、電話機能等）をさらに実行してもよい。
【００１６】
（多機能機１０が実行するウェブサーバ処理）
次いで、多機能機１０が実行するウェブサーバ処理の内容について説明する。ＰＣ８０のウェブブラウザ９０は、ＰＣ８０のユーザがＰＣ８０の操作部８４を操作することによって入力された多機能機１０のウェブサーバのＵＲＬ（Uniform Resource Locator）に従って、多機能機１０のウェブサーバにアクセスする。これにより、多機能機１０は、ウェブサーバ処理を実行する。なお、ウェブサーバ処理の具体的な内容を説明する前に、ウェブサーバ処理が実行されることによって、ＰＣ８０の表示部８２に表示される各画面について説明する。
【００１７】
（トップ画面）
ＰＣ８０のウェブブラウザ９０が多機能機１０のウェブサーバにアクセスすると、図２に示されるように、トップ画面１００が表示される。トップ画面１００は、複数個の選択項目１０２，１０４を含む。ユーザは、ＰＣ８０の操作部８４を操作することによって、トップ画面１００上でいずれかの選択項目１０２，１０４を選択（即ちクリック）することができる。例えば、「多機能機情報」を示す選択項目（符号省略）がユーザによって選択される場合には、多機能機１０に関する様々な情報（例えば多機能機１０のＩＰアドレス等）を示す画面が表示される。
【００１８】
（コピーメイン画面（図２））
トップ画面１００上で「設定値コピー」を示す選択項目１０２がユーザによって選択される場合には、コピーメイン画面１１０ａが表示される。コピーメイン画面１１０ａは、「コピー先指定」を示す選択項目１１２を含む。コピーメイン画面１１０ａは、さらに、複数個の設定項目Ｄ１〜Ｄ１０を含む。なお、コピーメイン画面１１０ａでは、各設定項目がＤ１，Ｄ２等の記号によって表わされているが、実際には、各設定項目は、各設定項目の内容を示す文字列（例えば「デフォルトの印刷解像度」等）によって表わされる。なお、設定項目Ｄ１０は、アドレス帳に対応する。各設定項目Ｄ１〜Ｄ１０には、チェックボックスが関連付けられている。即ち、各設定項目Ｄ１〜Ｄ１０の近傍に、チェックボックスが配置されている。なお、コピーメイン画面１１０ａでは、各設定項目Ｄ１〜Ｄ１０に対応する各チェックボックスは、非チェック状態である。ユーザは、ＰＣ８０の操作部８４を操作することによって、少なくとも１個のチェックボックスの状態を、非チェック状態からチェック状態に変更することができる。ユーザは、チェックボックスをチェック状態に変更することによって、他の多機能機にコピーされるべき設定値に対応する設定項目（以下では「対象設定項目」と呼ぶ）を指定することができる。コピーメイン画面１１０ａは、さらに、他の複数個の選択項目（「コピー実行」、「コピー項目グループ化」等）を含む。これらの選択項目については、後で説明する。
【００１９】
（コピー先指定画面（図２））
コピーメイン画面１１０ａ上で「コピー先指定」を示す選択項目１１２がユーザによって選択される場合には、図２のコピー先指定画面１２０が表示される。コピー先指定画面１２０は、ネットワークケーブル４に接続されている他の複数個の多機能機９２，９４，９６の情報（ノード名、ＩＰアドレス、及び、モデル名）と、複数個のチェックボックスと、を含む。ユーザは、ＰＣ８０の操作部８４を操作することによって、多機能機１０の設定値がコピーされるべき多機能機（以下では「対象多機能機」と呼ぶ）に対応するチェックボックスをチェック状態にすることができる。これにより、対象多機能機がユーザによって指定される。なお、ユーザは、１個の対象多機能機のみを指定することもできるし、複数個の対象多機能機のみを指定することもできる。
【００２０】
（多機能機９２（ＡＡＡ）のみが指定される場合）
コピー先指定画面１２０上でノード名「ＡＡＡ」を有する多機能機９２のみが指定される場合には、図２のコピーメイン画面１１０ｂが表示される。コピーメイン画面１１０ｂは、コピーメイン画面１１０ａとほぼ同様である。コピーメイン画面１１０ａと相違する点について、以下に説明する。コピーメイン画面１１０ｂは、多機能機９２が対象多機能機であることを示す情報１１１ｂを含む。また、コピーメイン画面１１０ｂは、多機能機１０のアドレス帳に含まれる全てのアドレス情報を多機能機９２に設定（即ちコピー）することができないことを示す情報１１３ａを含む。
【００２１】
また、コピーメイン画面１１０ｂに含まれる複数個の設定項目Ｄ１〜Ｄ１０のうち、設定項目Ｄ２，Ｄ３等と、設定項目Ｄ１，Ｄ５，Ｄ７と、は異なる態様で表示される。具体的に言うと、設定項目Ｄ１，Ｄ５，Ｄ７は、いわゆるグレーアウトの態様（即ちユーザが指定不可能な態様）で表示され、設定項目Ｄ２，Ｄ３等は、グレーアウトでない通常の態様（即ちユーザが指定可能な態様）で表示される。即ち、設定項目Ｄ１，Ｄ５，Ｄ７と設定項目Ｄ２，Ｄ３等とは、異なる色で表示される。後で詳しく説明するが、多機能機９２には、設定項目Ｄ２，Ｄ３等を設定可能であるが、設定項目Ｄ１，Ｄ５，Ｄ７を設定不可能である。ユーザは、設定項目Ｄ２，Ｄ３等に対応するチェックボックスをチェック状態にすることができるが、設定項目Ｄ１，Ｄ５，Ｄ７に対応するチェックボックスをチェック状態にすることができない。この構成によると、対象多機能機９２に設定不可能な設定項目Ｄ１，Ｄ５，Ｄ７が、ユーザによって指定されることを抑制することができる。なお、別の実施例では、多機能機９２に設定可能な設定項目Ｄ２，Ｄ３等のみならず、多機能機９２に設定不可能な設定項目Ｄ１，Ｄ５，Ｄ７が、ユーザが指定可能な通常の態様（ただし多機能機９２に設定可能な設定項目Ｄ２，Ｄ３等と区別される態様）で表示されてもよい。
【００２２】
（多機能機９４（ＢＢＢ）のみが指定される場合）
コピー先指定画面１２０上でノード名「ＢＢＢ」を有する多機能機９４のみが指定される場合には、図２のコピーメイン画面１１０ｃが表示される。コピーメイン画面１１０ｃは、多機能機９４が対象多機能機であることを示す情報１１１ｃを含む。また、多機能機９４は、設定項目Ｄ２，Ｄ３等を設定可能であるが、設定項目Ｄ１，Ｄ７，Ｄ９を設定不可能である。従って、コピーメイン画面１１０ｃでは、多機能機９４に設定可能な設定項目Ｄ２，Ｄ３等が、多機能機９４に設定不可能な設定項目Ｄ１，Ｄ７，Ｄ９と区別された態様（即ちグレーアウトの有無）で表示される。なお、多機能機９４に設定不可能な設定項目Ｄ１，Ｄ７，Ｄ９は、多機能機９２に設定不可能な設定項目Ｄ１，Ｄ５，Ｄ７と異なる。従って、コピーメイン画面１１０ｂでは、設定項目Ｄ５がグレーアウトの態様で表示され、設定項目Ｄ９が通常の態様で表示されるが、コピーメイン画面１１０ｃでは、設定項目Ｄ５が通常の態様で表示され、設定項目Ｄ９がグレーアウトの態様で表示される。即ち、コピーメイン画面１１０ｃは、コピーメイン画面１１０ｂと異なる。
【００２３】
（多機能機９２，９４（ＡＡＡ、ＢＢＢ）が指定される場合）
コピー先指定画面１２０上でノード名「ＡＡＡ」，「ＢＢＢ」を有する多機能機９２，９４が指定される場合には、図３のコピーメイン画面１１０ｄが表示される。コピーメイン画面１１０ｄは、多機能機９２，９４が対象多機能機であることを示す情報１１１ｄを含む。さらに、コピーメイン画面１１０ｄでは、多機能機９２，９４の両方に設定可能な設定項目Ｄ２，Ｄ３等が、多機能機９２，９４の少なくとも一方に設定不可能な設定項目Ｄ１，Ｄ５，Ｄ７，Ｄ９と区別された態様で表示される。具体的に言うと、多機能機９２，９４の両方に設定可能な設定項目Ｄ２，Ｄ３等と、多機能機９２，９４の少なくとも一方のみに設定不可能な設定項目Ｄ５，Ｄ９と、多機能機９２，９４のいずれにも設定不可能な設定項目Ｄ１，Ｄ７と、が区別された態様で表示される。より詳しく言うと、設定項目Ｄ２，Ｄ３等は、通常の態様（即ちユーザが指定可能な態様）で表示され、設定項目Ｄ１，Ｄ７は、グレーアウトの態様（即ちユーザが指定不可能な態様）で表示される。設定項目Ｄ５，Ｄ９は、通常の態様で表示され、さらに、多機能機９２，９４の一方のみに設定可能であることを示す情報１１３ｂ，１１３ｃ（「ＡＡＡ」（又は「ＢＢＢ」にはコピーされません）が、設定項目Ｄ５，Ｄ９に関連付けて表示される。この構成によると、ユーザは、対象多機能機９２，９４のうちの一方のみに設定項目Ｄ５，Ｄ９を設定可能であることを、容易に把握することができる。なお、図２及び図３から明らかなように、各コピーメイン画面１１０ｂ〜１１０ｄは、互いに異なる。本実施例では、対象多機能機に応じて（即ち対象多機能機に設定可能な設定項目に応じて）、適切なコピーメイン画面１１０ｂ〜１１０ｄを表示させることができる。
【００２４】
なお、コピーメイン画面１１０ｄでは、ユーザによって各設定項目Ｄ３，Ｄ５，Ｄ６が指定されている（即ち設定項目Ｄ３，Ｄ５，Ｄ６が対象設定項目である）。この状態において、ユーザは、ＰＣ８０の操作部８４を操作することによって、「コピー実行」を示す選択項目１１４を選択することができる。この場合、設定値格納領域４０に格納されている複数個の設定項目Ｄ１〜Ｄ１０に対応する複数個の設定値のうち、各対象設定項目Ｄ３，Ｄ５，Ｄ６に対応する各設定値が、各対象多機能機９２，９４に送信される。この結果、各対象設定項目Ｄ３，Ｄ５，Ｄ６に対応する各設定値が、各対象多機能機９２，９４に設定（即ちコピー）される。
【００２５】
（コピー結果画面１３０（図３））
各対象多機能機９２，９４に各設定値が設定された場合には、図３のコピー結果画面１３０が表示される。上述したように、設定項目Ｄ５は、多機能機９２に設定不可能である。従って、図３のコピー結果画面１３０は、設定項目Ｄ５に対応する設定値が多機能機９２に設定されないことを示す情報（Ｄ５＝ＮＧ（項目がありません））を含む。ユーザは、コピー結果画面１３０を見ることによって、どの設定項目がどの多機能機に設定されたのかを、容易に把握することができる。
【００２６】
なお、図３のコピーメイン画面１１０ｄの場合と同様に、図２のコピーメイン画面１１０ｂ，１１０ｃにおいて、対象設定項目が指定された後に、「コピー実行」を示す選択項目（符号省略）が選択される場合には、対象設定項目に対応する設定値が、対象多機能機（例えばコピーメイン画面１１０ｂの場合には多機能機９２）に送信される。この場合、図３のコピー結果画面１３０と同様のコピー結果画面が表示される。
【００２７】
また、図３のコピーメイン画面１１０ｄにおいて、「コピー先指定」を示す選択項目１１２が選択される場合には、図２のコピー先指定画面１２０が再び表示される。これにより、ユーザは、対象多機能機を変更することができる。例えば、対象多機能機が多機能機９２のみに変更される場合には、図２のコピーメイン画面１１０ｂが表示される。
【００２８】
（グループ化）
図３のコピーメイン画面１１０ｄにおいて、対象設定項目Ｄ３，Ｄ５，Ｄ６が指定された後に、「コピー項目グループ化」を示す選択項目１１５ａが選択される場合には、対象設定項目Ｄ３，Ｄ５，Ｄ６を示すグループ情報（図１０のＳ７２参照）が、メモリ３４の設定関係情報格納領域４２（図１参照）に格納される。なお、この際に、ユーザは、所望のグループ名（以下では「特定のグループ名」と呼ぶ）を指定することができる。従って、設定関係情報格納領域４２には、グループ情報と上記の特定のグループ名とが対応付けて格納される。
【００２９】
例えば、ユーザは、多機能機１０のウェブサーバ機能に再びアクセスし、図２のトップ画面１００上で「設定値コピー」を示す選択項目１０２を選択し、次いで、図２のコピーメイン画面１１０ａ上で「グループ選択」を示す選択項目１１５ｂを選択することができる。この際に、ユーザは、上記の特定のグループ名を指定することができる。この場合、図４のコピーメイン画面１１０ｅが表示される。コピーメイン画面１１０ｅでは、設定関係情報格納領域４２に格納されている上記の特定のグループ名に対応するグループ情報が示す対象設定項目Ｄ３，Ｄ５，Ｄ６が、指定済みの態様（チェック状態のチェックボックス）で表示される。これにより、ユーザは、ユーザ自身が過去に指定した対象設定項目Ｄ３，Ｄ５，Ｄ６を知ることができる。
【００３０】
（アドレス選択画面１４０（図５））
図２のコピーメイン画面１１０ｂの情報１１３ａが示すように、多機能機１０のアドレス帳に含まれる全てのアドレス情報を多機能機９２に設定（即ちコピー）することができない。このような状況では、ユーザは、図２のコピーメイン画面１１０ｂ上で「アドレス選択」を示す選択項目１１６を選択することができる。この場合、図５のアドレス選択画面１４０が表示される。アドレス選択画面１４０は、多機能機１０のアドレス帳に含まれる複数個のアドレス情報のうち、ユーザによって選択されたアドレス情報（以下では「対象アドレス情報」と呼ぶ）の数を示す選択済みアドレス数情報（４０個）を含む。また、アドレス選択画面１４０は、さらに、ノード名「ＡＡＡ」を有する多機能機９２の最大アドレス数情報（２０個）及びコピー可能アドレス数情報（１５個）を含む。最大アドレス数情報は、多機能機９２のアドレス帳に格納可能なアドレス情報の最大数を示す。また、コピー可能アドレス数情報は、最大アドレス数情報（２０個）から保護アドレス情報の数（５個）が減算された値を示す。なお、保護アドレス情報は、多機能機９２のアドレス帳から消去されないように、ユーザによって予め指定されているアドレス情報である。
【００３１】
アドレス選択画面１４０は、さらに、多機能機１０のアドレス帳に含まれる複数個のアドレス情報１４２と、複数個のチェックボックスと、を含む。各アドレス情報１４２は、名称（例えば個人名、会社名等）と、アドレス（例えば電話番号、ＦＡＸ番号、電子メールアドレス等）と、を含む。チェック状態のチェックボックスに対応するアドレス情報１４２が、選択済みアドレス情報である。ユーザは、チェックボックスの状態を、チェック状態と非チェック状態との間で変更することができる。これにより、ユーザは、多機能機１０のアドレス帳に含まれる複数個のアドレス情報のうち、多機能機９２に設定されるべきアドレス情報（即ち対象アドレス情報）を選択することができる。上述したように、多機能機９２のコピー可能アドレス数情報が１５個であるために、ユーザは、１５個以下の対象アドレス情報を選択する。
【００３２】
（保護アドレス画面１５０（図５））
アドレス選択画面１４０上で「保護アドレスの指定及び解除」を示す選択項目１４４が選択される場合には、図５の保護アドレス画面１５０が表示される。保護アドレス画面１５０は、多機能機９２の最大アドレス数情報（２０個）及びコピー可能アドレス数情報（１５個）を含む。保護アドレス画面１５０は、さらに、多機能機９２のアドレス帳に含まれる複数個のアドレス情報１５２と、複数個のチェックボックスと、を含む。チェック状態のチェックボックスに対応するアドレス情報１５２が保護アドレス情報である。ユーザは、チェックボックスの状態を、チェック状態と非チェック状態との間で変更することができる。これにより、ユーザは、多機能機９２のアドレス帳に含まれる保護アドレス情報の指定及び／又は解除を行なうことができる。例えば、保護アドレス情報の解除が実行される場合には、多機能機９２のコピー可能アドレス数情報が増え、この結果、ユーザは、多機能機９２に設定されるべき対象アドレス情報の数を増やすことができる。なお、ユーザは、保護アドレス情報の指定及び／又は解除を実行した後に、アドレス選択画面１４０上で対象アドレス情報を選択することができる。アドレス選択画面１４０上で対象アドレス情報が選択された後に、「コピー実行」を示す選択項目（符号省略）が選択される場合には、多機能機１０のアドレス帳に含まれる複数個のアドレス情報のうちの対象アドレス情報が、多機能機９２に送信（即ち設定）される。
【００３３】
（プロファイル画面１６０（図６））
図３のコピーメイン画面１１０ｄにおいて、対象設定項目Ｄ３，Ｄ５，Ｄ６が指定された後に、「プロファイル作成」を示す選択項目１１７が選択される場合には、図６のプロファイル画面１６０が表示される。プロファイル画面１６０は、対象多機能機９２，９４を示す情報と、対象設定項目Ｄ３，Ｄ５，Ｄ６を示す情報と、第１の選択項目１６２と、第２の選択項目１６４と、を含む。なお、ユーザは、プロファイル画面１６０上でプロファイル名を指定することができる。また、ユーザは、第１の選択項目１６２を選択する場合には、さらに、時刻又は頻度（例えば１日毎、１週間毎等）を指定することができる。図示省略の完了ボタンが選択される場合には、対象多機能機９２，９４を示す情報と、対象設定項目Ｄ３，Ｄ５，Ｄ６を示す情報と、第１及び第２の選択項目１６２，１６４のどちらが選択されたのかを示す選択情報と、を含むプロファイル情報（図１２のＳ１２６参照）が、メモリ３４の設定関係情報格納領域４２に格納される。なお、設定関係情報格納領域４２には、プロファイル情報とユーザによって指定されたプロファイル名とが対応付けて格納される。また、第１の選択項目１６２が選択される場合には、選択情報は、さらに、ユーザによって指定された時刻又は頻度を含む。プロファイル情報がどのように利用されるのかについては、後で説明する。
【００３４】
なお、ユーザは、図３のコピーメイン画面１１０ｄ上で「プロファイル選択」及び「選択プロファイル編集」を示す選択項目（符号省略）を選択することにより、設定関係情報格納領域４２に格納されているプロファイル情報の内容を変更することができる。
【００３５】
（設定画面１７０（図７））
図２のトップ画面１００上で「多機能機設定」を示す選択項目１０４が選択される場合には、図７の設定画面１７０が表示される。設定画面１７０は、設定値格納領域４０に格納されている複数個の設定値Ｖ１，Ｖ２等を含む。ユーザは、設定画面１７０上でいずれかの設定項目（例えばＤ１）の設定値（例えばＶ１）を変更することができる。これにより、例えば、ユーザは、デフォルトの印刷用紙サイズを「Ａ４」から「Ｂ５」に変更することができる。この結果、変更前の設定値（例えば「Ａ４」）が設定値格納領域４０から消去され、変更後の設定値（例えば「Ｂ５」）が設定値格納領域４０に格納される。なお、設定画面１７０上で「ｓｕｂｍｉｔ」を示す選択項目１７２がユーザによって選択される場合には、図２のコピー先指定画面１２０で過去に指定された対象多機能機に、変更後の設定値が送信（即ち設定）される。
【００３６】
（多機能機１０が実行するウェブサーバ処理の具体的な内容）
続いて、図８から図１２を参照して、多機能機１０が実行するウェブサーバ処理の具体的な内容について説明する。なお、以下では、各画面１００，１１０ａ等を表わす各画面データを生成するための処理（図８のＳ１２，Ｓ２２等）について説明するが、当該処理では、メモリ３４に予め格納されている各画面生成用テンプレートを用いて、各画面データが生成される。以下では、各画面生成用テンプレートについての説明を省略する。
【００３７】
（図２のトップ画面１００の表示のための処理）
図８に示されるように、ＰＣ８０のユーザは、多機能機１０のウェブサーバのＵＲＬをＰＣ８０に入力するアクセス操作を実行する（Ｓ１０）。この場合、ＰＣ８０のウェブブラウザ９０は、トップ画面要求２１０を多機能機１０に送信する。多機能機１０の画面データ供給部６２（図１参照）は、トップ画面要求２１０を受信すると、図２のトップ画面１００を表わすＨＴＭＬ（Hyper Text Markup Language）形式のトップ画面データ２１２を生成し（Ｓ１２）、トップ画面データ２１２をウェブブラウザ９０に送信する。この結果、図２のトップ画面１００がＰＣ８０の表示部８２に表示される。
【００３８】
（図２のコピーメイン画面１１０ａの表示のための処理）
図２のトップ画面１００上で「設定値コピー」を示す選択項目１０２が選択される場合（図８のＳ２０）には、ＰＣ８０のウェブブラウザ９０は、操作情報２２０を多機能機１０に送信する。多機能機１０の画面データ供給部６２は、操作情報２２０を受信すると、図２のコピーメイン画面１１０ａを表わすＨＴＭＬ形式のコピーメイン画面データ２２２を生成し（Ｓ２２）、コピーメイン画面データ２２２をウェブブラウザ９０に送信する。この結果、図２のコピーメイン画面１１０ａがＰＣ８０の表示部８２に表示される。
【００３９】
（図２のコピー先指定画面１２０の表示のための処理）
図８に示されるように、図２のコピーメイン画面１１０ａ上で「コピー先指定」を示す選択項目１１２が選択される場合（Ｓ３０）には、ＰＣ８０のウェブブラウザ９０は、操作情報２３０を多機能機１０に送信する。多機能機１０の取得部６４は、操作情報２３０を受信すると、各多機能機９２，９４，９６（図８では多機能機９６が省略されている）に基本情報要求２３２を送信する。各多機能機９２，９４，９６は、基本情報要求２３２に応じて、当該多機能機の基本情報（ＩＰアドレス、ノード名、及び、モデル名）２３４，２３６を多機能機１０に送信する。この結果、取得部６４は、基本情報２３４，２３６を取得する。次いで、多機能機１０の画面データ供給部６２は、基本情報２３４，２３６を用いて、図２のコピー先指定画面１２０を表わすＨＴＭＬ形式のコピー先指定画面データ２３８を生成する（Ｓ３２）。具体的に言うと、画面データ供給部６２は、基本情報２３４，２３６が示す各情報（ＩＰアドレス等）を含むコピー先指定画面データ２３８を生成する。次いで、画面データ供給部６２は、コピー先指定画面データ２３８をウェブブラウザ９０に送信する。この結果、図２のコピー先指定画面１２０がＰＣ８０の表示部８２に表示される。
【００４０】
（図２及び図３のコピーメイン画面１１０ｂ〜１１０ｄの表示のための処理）
図９に示されるように、図２のコピー先指定画面１２０上で対象多機能機が指定される場合（Ｓ４０）には、ＰＣ８０のウェブブラウザ９０は、対象多機能機を示す情報を含む操作情報２４０を多機能機１０に送信する。多機能機１０の取得部６４は、操作情報２４０を受信すると、操作情報２４０が示す対象多機能機のみに項目情報要求２４２を送信する。図９の例では、多機能機９２，９４が対象多機能機であるために、多機能機９２，９４に項目情報要求２４２が送信されるが、仮に、多機能機９２のみが対象多機能機である場合には、多機能機９２のみに項目情報要求２４２が送信される。各対象多機能機９２，９４は、項目情報要求２４２に応じて、項目情報２４４，２４６を多機能機１０に送信する。これにより、取得部６４は、項目情報２４４，２４６を取得する。各項目情報２４４，２４６は、当該項目情報の送信元の多機能機に設定可能な設定項目を示す情報（例えば多機能機９２の場合にはＤ２〜Ｄ４，Ｄ６，Ｄ８〜Ｄ１０）と、当該項目情報の送信元の多機能機のアドレス帳の最大アドレス数情報と、を含む。
【００４１】
次いで、多機能機１０の画面データ供給部６２は、項目情報２４６，２４８を用いて、新たなコピーメイン画面を表わすＨＴＭＬ形式のコピーメイン画面データ２４８を生成し（Ｓ４２）、コピーメイン画面データ２４８をウェブブラウザ９０に送信する。この結果、図２のコピーメイン画面１１０ｂ，１１０ｃ、図３のコピーメイン画面１１０ｄ等がＰＣ８０の表示部８２に表示される。
【００４２】
例えば、多機能機９２のみが対象多機能機である場合には、Ｓ４２において、画面データ供給部６２は、多機能機９２から取得された項目情報２４４を参照することによって、多機能機９２に設定不可能な設定項目Ｄ１，Ｄ５，Ｄ７と、多機能機９２に設定可能な設定項目Ｄ２〜Ｄ４，Ｄ６，Ｄ８〜Ｄ１０と、を特定する。次いで、画面データ供給部６２は、前者の設定項目Ｄ１，Ｄ５，Ｄ７がグレーアウトの態様を有し、後者の設定項目Ｄ２〜Ｄ４，Ｄ６，Ｄ８〜Ｄ１０が通常の態様を有するコピーメイン画面データ２４８を生成する。また、画面データ供給部６２は、多機能機１０のアドレス帳に含まれるアドレス情報の数が、多機能機９２から取得された項目情報２４４に含まれる最大アドレス数情報よりも大きい場合には、図２のコピーメイン画面１１０ｂの情報１１３ａを示す文字列を含むコピーメイン画面データ２４８を生成する。この結果、図２のコピーメイン画面１１０ｂを表わすコピーメイン画面データ２４８が生成される。なお、多機能機９４のみが対象多機能機である場合には、多機能機９２の場合と同様に、Ｓ４２において、画面データ供給部６２は、多機能機９４から取得された項目情報２４６を用いて、図２のコピーメイン画面１１０ｃを表わすコピーメイン画面データ２４８を生成する。
【００４３】
また、例えば、多機能機９２，９４が対象多機能機である場合には、Ｓ４２において、画面データ供給部６２は、項目情報２４６，２４８を参照することによって、多機能機９２，９４の両方に設定可能な設定項目Ｄ２〜Ｄ４，Ｄ６，Ｄ８，Ｄ１０と、多機能機９２のみに設定可能な設定項目Ｄ９と、多機能機９４のみに設定可能な設定項目Ｄ５と、多機能機９２，９４のいずれにも設定不可能な設定項目Ｄ１，Ｄ７と、を特定する。次いで、画面データ供給部６２は、設定項目Ｄ１，Ｄ７がグレーアウトの態様を有し、他の設定項目が通常の態様を有するコピーメイン画面データ２４８を生成する。さらに、画面データ供給部６２は、図３のコピーメイン画面１１０ｄの情報１１３ｂ，１１３ｃを示す文字列を含むコピーメイン画面データ２４８を生成する。この結果、図３のコピーメイン画面１１０ｄを表わすコピーメイン画面データ２４８が生成される。
【００４４】
（設定値のコピーのための処理）
図９に示されるように、図２及び図３のコピーメイン画面１１０ｂ〜１１０ｄにおいて、「コピー実行」を示す選択項目１１４が選択される場合（Ｓ５０）には、ＰＣ８０のウェブブラウザ９０は、対象多機能機を示す情報と、対象設定項目を示す情報と、を含む操作情報２５０を多機能機１０に送信する。多機能機１０の送信部６６（図１参照）は、操作情報２５０を受信すると、操作情報２５０が示す対象設定項目に対応する設定値を、設定値格納領域４０から取得する。次いで、送信部６６は、対象設定項目に対応する設定値を含む設定要求２５２を、対象多機能機のみ（図９の例では多機能機９２，９４のみ）に送信する。なお、アドレス帳に対応する設定項目Ｄ１０が対象設定項目である場合には、操作情報２５０は、さらに、対象アドレス情報（図５のアドレス選択画面１４０で選択されたアドレス情報）を含む。この場合、送信部６６は、対象アドレス情報（設定値の一種）をさらに含む設定要求２５２を送信する。各対象多機能機９２，９４は、設定要求２５２を受信すると、設定要求２５２に含まれる各設定値を、自己の設定値として設定（メモリに格納）する。これにより、多機能機１０の設定値が各対象多機能機９２，９４にコピーされる。
【００４５】
（図３のコピー結果画面１３０の表示のための処理）
各対象多機能機９２，９４は、結果情報２５６，２５８を多機能機１０に送信する。各結果情報２５６，２５８は、設定要求２５２に含まれる各設定値が各対象多機能機９２，９４にコピーされたのか否かを示す情報（例えばＤ３＝ＯＫ、Ｄ５＝ＮＧ、Ｄ６＝ＯＫ（図３のコピー結果画面１３０参照））を含む。多機能機１０の画面データ供給部６２は、各結果情報２５６，２５８を用いて、図３のコピー結果画面１３０を表わすＨＴＭＬ形式のコピー結果画面データ２６０を生成し（Ｓ５２）、コピー結果画面データ２６０をウェブブラウザ９０に送信する。この結果、図３のコピー結果画面１３０がＰＣ８０の表示部８２に表示される。
【００４６】
（グループ情報の登録のための処理）
図１０に示されるように、図３のコピーメイン画面１１０ｄ上で「コピー項目グループ化」を示す選択項目１１５ａが指定される場合（Ｓ７０）には、ＰＣ８０のウェブブラウザ９０は、グループ名と、対象設定項目を示す情報と、を含む操作情報２７０を多機能機１０に送信する。多機能機１０の第１の格納制御部６８（図１参照）は、操作情報２７０を受信すると、操作情報２７０に含まれるグループ名と、操作情報２７０に含まれる対象設定項目を示すグループ情報と、を対応付けて、設定関係情報格納領域４２に格納する（Ｓ７２）。
【００４７】
また、図２のコピーメイン画面１１０ａ上で「グループ選択」を示す選択項目１１５ｂが選択され、かつ、グループ名がユーザによって指定される場合（図１０のＳ８０）には、ＰＣ８０のウェブブラウザ９０は、ユーザによって指定されたグループ名を含む操作情報２８０を多機能機１０に送信する。多機能機１０の画面データ供給部６２は、操作情報２８０を受信すると、操作情報２８０に含まれるグループ名に対応するグループ情報を、設定関係情報格納領域４２から取得する（Ｓ８２）。次いで、画面データ供給部６２は、Ｓ８２で取得されたグループ情報を用いて、コピーメイン画面データ２８２を生成する（Ｓ８４）。具体的に言うと、画面データ供給部６２は、Ｓ８２で取得されたグループ情報が示す対象設定項目に対応するチェックボックスがチェック状態にされているコピーメイン画面データ２８２を生成する。画面データ供給部６２は、コピーメイン画面データ２８２をウェブブラウザ９０に送信する。この結果、図４のコピーメイン画面１１０ｅがＰＣ８０の表示部８２に表示される。
【００４８】
（図５のアドレス選択画面１４０の表示のための処理）
図１１に示されるように、図２のコピーメイン画面１１０ｂ上で「アドレス選択」を示す選択項目１１６が指定される場合（Ｓ９０）には、ＰＣ８０のウェブブラウザ９０は、対象多機能機９２を示す情報を含む操作情報２９０を多機能機１０に送信する。多機能機１０の取得部６４は、操作情報２９０を受信すると、操作情報２９０が示す対象多機能機９２にアドレス数情報要求２９２を送信する。多機能機９２は、アドレス数情報要求２９２に応じて、多機能機９２のコピー可能アドレス数情報２９４（図５の例では「１５個」）を多機能機１０に送信する。多機能機１０の画面データ供給部６２は、コピー可能アドレス数情報２９４を用いて、アドレス選択画面データ２９６を生成する。具体的に言うと、画面データ供給部６２は、コピー可能アドレス数情報２９４（図５の例では「１５個」）を含むアドレス選択画面データ２９６を生成する。なお、図９の項目情報２４４が最大アドレス数情報を含むために、画面データ供給部６２は、項目情報２４４が示す最大アドレス数情報（図５の例では「２０個」）を含むアドレス選択画面データ２９６を生成する。さらに、画面データ供給部６２は、多機能機１０のアドレス帳に含まれる複数個のアドレス情報と複数個のチェックボックスとを含むアドレス選択画面データ２９６を生成する。画面データ供給部６２は、アドレス選択画面データ２９６をウェブブラウザ９０に送信する。この結果、図５のアドレス選択画面１４０がＰＣ８０の表示部８２に表示される。
【００４９】
（図５の保護アドレス画面１５０の表示のための処理）
図５のアドレス選択画面１４０上で「保護アドレスの指定及び解除」を示す選択項目１４４が選択される場合（Ｓ１００）には、ＰＣ８０のウェブブラウザ９０は、操作情報３００を多機能機１０に送信する。多機能機１０の取得部６４は、操作情報３００を受信すると、対象多機能機９２にアドレス情報要求３０２を送信する。この結果、多機能機９２は、多機能機９２のアドレス帳に含まれる各アドレス情報３０４を多機能機１０に送信する。各アドレス情報３０４は、保護アドレス情報であるのか否かを示す情報を含む。多機能機１０の画面データ供給部６２は、各アドレス情報３０４を用いて、保護アドレス画面データ３０６を生成する（Ｓ１０２）。具体的に言うと、画面データ供給部６２は、各アドレス情報３０４を含む保護アドレス画面データ３０６を生成する。さらに、画面データ供給部６２は、保護アドレス情報であるアドレス情報に対応するチェックボックスがチェック状態にされている保護アドレス画面データ３０６を生成する。画面データ供給部６２は、保護アドレス画面データ３０６をウェブブラウザ９０に送信する。この結果、図５の保護アドレス画面１５０がＰＣ８０の表示部８２に表示される。
【００５０】
図５の保護アドレス画面１５０上で図示省略の完了ボタンが選択される場合（Ｓ１０４）には、ＰＣ８０のウェブブラウザ９０は、チェック状態の各アドレス情報を含む操作情報３０８を多機能機１０に送信する。多機能機１０の制御部３０（図１参照）は、操作情報３００を受信すると、設定変更要求３１０を対象多機能機９２に送信する。設定変更要求３１０は、操作情報３０８に含まれる各アドレス情報（即ちチェック状態の各アドレス情報）を含む。多機能機９２は、設定変更要求３１０に従って、多機能機９２のアドレス帳の内容を変更する。即ち、多機能機９２は、多機能機９２のアドレス帳のうち、設定変更要求３１０に含まれる各アドレス情報を、保護アドレス情報として設定する。また、仮に、多機能機９２のアドレス帳のうち、設定変更要求３１０に含まれないアドレス情報が、保護アドレス情報として設定されている場合には、多機能機９２は、当該保護アドレス情報を、通常のアドレス情報として設定する（即ち保護を解除する）。
【００５１】
（図６のプロファイル画面１６０の表示のための処理）
図１２に示されるように、図３のコピーメイン画面１１０ｄ上で「プロファイル作成」を示す選択項目１１７が選択される場合（Ｓ１２０）には、ＰＣ８０のウェブブラウザ９０は、対象多機能機を示す情報と、対象設定項目を示す情報と、を含む操作情報３２０を多機能機１０に送信する。多機能機１０の画面データ供給部６２は、操作情報３２０を受信すると、操作情報３２０を用いて、図６のプロファイル画面１６０を表わすプロファイル画面データ３２２を生成し（Ｓ１２２）、プロファイル画面データ３２２をウェブブラウザ９０に送信する。この結果、図６のプロファイル画面１６０がＰＣ８０の表示部８２に表示される。
【００５２】
図６のプロファイル画面１６０上で図示省略の完了ボタンが選択される場合（Ｓ１２４）には、ＰＣ８０のウェブブラウザ９０は、対象多機能機９２，９４を示す情報と、対象設定項目Ｄ３，Ｄ５，Ｄ６を示す情報と、プロファイル名と、図６の第１及び第２の選択項目１６２，１６４のどちらが選択されたのかを示す選択情報と、を含む操作情報３２４を多機能機１０に送信する。なお、第１の選択項目１６２が選択された場合には、選択情報は、時刻又は頻度を含む。多機能機１０の第２の格納制御部７０（図１参照）は、操作情報３２４を受信すると、操作情報３２４に含まれるプロファイル名と、プロファイル情報と、を対応付けて、設定関係情報格納領域４２に格納する（Ｓ１２６）。プロファイル情報は、操作情報３２４に含まれるプロファイル名以外の各情報を含む。
【００５３】
（監視処理）
図６の第１の選択項目１６４が選択されたことを示す選択情報を含む第１のプロファイル情報が設定関係情報格納領域４２に格納されている場合には、送信部６６は、第１のプロファイル情報に含まれるいずれかの対象設定項目Ｄ３，Ｄ５，Ｄ６に対応する設定値が変更されることを監視する（Ｓ１２８）。送信部６６は、いずれかの対象設定項目Ｄ３，Ｄ５，Ｄ６に対応する設定値が変更された場合には、当該設定項目（例えばＤ３）に対応する変更後の新たな設定値を含む設定要求３２６，３２８を、第１のプロファイル情報に含まれる各対象多機能機９２，９４に送信する。この結果、各対象多機能機９２，９４の設定値が上記の新たな設定値に変更される。この構成によると、ユーザは、ユーザ自身が指定したタイミング（即ち設定値の変更のタイミング）で、対象設定項目に対応する設定値を各対象多機能機９２，９４に設定することができる。
【００５４】
また、図６の第２の選択項目１６４が選択されたことを示す選択情報を含む第２のプロファイル情報が設定関係情報格納領域４２に格納されている場合には、送信部６６は、選択情報が示すタイミング（時刻又は頻度）に到達するのを監視する（Ｓ１２８）。送信部６６は、上記のタイミングに到達すると、第２のプロファイル情報に含まれる各対象設定項目Ｄ３，Ｄ５，Ｄ６に対応する各設定値を含む設定要求３２６，３２８を、第２のプロファイル情報に含まれる各対象多機能機９２，９４に送信する。この結果、各対象多機能機９２，９４の設定値が変更され得る。この構成によると、ユーザは、ユーザ自身が指定したタイミング（即ち時刻又は頻度）で、対象設定項目に対応する設定値を各対象多機能機９２，９４に設定することができる。
【００５５】
（実施例の効果）
本実施例によると、多機能機１０がコピー先指定画面データ２３８（図８参照）とコピーメイン画面データ２４８（図９参照）とをウェブブラウザ９０に供給するために、ユーザは、コピー先指定画面１２０（図２参照）上で対象多機能機を指定し、コピーメイン画面１１０ｂ〜１１０ｄ上で対象設定項目を指定することができる。多機能機１０は、対象設定項目に対応する設定値を対象多機能機に送信する。この結果、対象設定項目に対応する設定値が対象多機能機に設定（即ちコピー）される。しかも、多機能機１０は、例えば、多機能機９２のみが指定される場合には、多機能機９２から取得される項目情報２４４（図９参照）を用いて、多機能機９２に設定可能な設定項目が、多機能機９２に設定不可能な設定項目と区別されたコピーメイン画面１１０ｂを表わすコピーメイン画面データ２４８（図９参照）を生成する。従って、ユーザは、多機能機９２に設定可能な設定項目を容易に把握することができ、この結果、多機能機９２に設定（即ちコピー）されるべき設定項目を容易に指定することができる。上記の構成によると、ユーザは、多機能機１０の設定値を、対象多機能機９２に容易に設定することができる。なお、多機能機９４が対象多機能機である場合、及び、多機能機９２，９４が対象多機能機である場合にも、同様の効果が得られる。
【００５６】
（対応関係）
実施例の各要素と本発明の各要素との対応関係を記載しておく。多機能機１０、多機能機９２〜９６、ＰＣ８０が、それぞれ、「機能実行装置」、「１個以上のデバイス」、「表示装置」の一例である。特に、多機能機９２、多機能機９４が、それぞれ、「第１の対象デバイス」、「第２の対象デバイス」の一例である。コピー先指定画面１２０、コピーメイン画面１１０ａ〜１１０ｅが、それぞれ、「デバイス画面」、「項目画面」の一例である。特に、コピーメイン画面１１０ｂ、１１０ｃ、１１０ｄが、それぞれ、「第１、第２、第３の項目画面」の一例である。また、コピーメイン画面１１０ｅを表わすコピーメイン画面データ２８２（図１０参照）が、「新たな項目画面データ」の一例である。また、項目情報２４４（図９参照）及びアドレス数情報２９４（図１１参照）が「第１のデバイス情報」の一例であり、項目情報２４６（図９参照）が「第２のデバイス情報」の一例である。
【００５７】
さらに、コピーメイン画面１１０ｂにおいて、設定項目Ｄ２，Ｄ３等、設定項目Ｄ１，Ｄ５，Ｄ７が、それぞれ、「第１種の設定項目」、「第２種の設定項目」の一例である。コピーメイン画面１１０ｃにおいて、設定項目Ｄ２，Ｄ３等、設定項目Ｄ１，Ｄ７，Ｄ９が、それぞれ、「第３種の設定項目」、「第４種の設定項目」の一例である。コピーメイン画面１１０ｄにおいて、設定項目Ｄ２，Ｄ３等、設定項目Ｄ１，Ｄ５，Ｄ７，Ｄ９が、それぞれ、「第５種の設定項目」、「第６種の設定項目」の一例である。コピーメイン画面１１０ｄの情報１１３ｂ，１１３ｃが、「特定の情報」の一例である。
【００５８】
また、アドレス帳に対応する設定項目Ｄ１０、アドレス選択画面１４０が、それぞれ、「第１の設定項目」、「選択画面」の一例である。多機能機１０のアドレス帳に含まれるアドレス情報の数、多機能機９２のコピー可能アドレス数情報（１５個）が、それぞれ、「Ｍ」、「Ｎ」の一例である。グループ化の対象である対象設定項目Ｄ３，Ｄ５，Ｄ６（図３参照）、操作情報２７０（図１０参照）、操作情報２８０、グループ情報、チェック状態のチェックボックスが、それぞれ、「第２の設定項目」、「第１の指示」、「第２の指示」、「指定済み情報」、「指定済みの態様」の一例である。対象多機能機９２，９４、対象設定項目Ｄ３，Ｄ５，Ｄ６、操作情報３２４（図１２参照）が、それぞれ、「第３の対象デバイス」、「第３の設定項目」、「第３の指示」の一例である。
【００５９】
（変形例１）実施例では、画面データ供給部６２は、各画面データをＰＣ８０のウェブブラウザに供給するが、それに代えて、各画面データを多機能機１０の表示部１２に供給してもよい。本変形例では、多機能機１０の表示部１２が「表示装置」の一例である。
【００６０】
（変形例２）実施例では、ＣＰＵ３２がプログラム３６，３８に従って処理を実行することによって各部６０〜７０が実現されるが、各部６０〜７０のうちの少なくとも１個は、論理回路等のハードウェアで実現されてもよい。
【００６１】
（変形例３）図２及び図３のコピーメイン画面１１０ｂ〜１１０ｄにおいて、対象多機能機に設定可能な設定項目の色と、対象多機能機に設定不可能な設定項目の色（グレーアウト）と、を変えなくてもよく、例えば、「設定可能項目」、「設定不可能項目」等の情報を表示してもよい。本変形例も、「第１種（第３種、第５種）の設定項目が、・・・第２種（第４種、第６種）の設定項目と区別された第１（第２、第３）の項目画面」の構成に含まれる。なお、上記の構成は、第１（第２、第３）の項目画面が、第１種（第３種、第５種）の設定項目のみを含んでおり、第２種（第４種、第６種）の設定項目を含んでいない構成を含む。
【００６２】
（変形例４）実施例では、対象多機能機に設定可能な設定項目を示す項目情報２４４，２４６（図９参照）が「デバイス情報」の一例であるが、それに代えて、「デバイス情報」は、対象多機能機に設定不可能な設定項目を示す不可能情報であってもよい。また、取得部６４は、設定項目Ｄ１を示す情報を対象多機能機に送信し、対象多機能機に設定項目Ｄ１が設定可能か否かを示す可否情報を対象多機能機から取得してもよい。同様に、取得部６４は、各設定項目Ｄ２，Ｄ３等を示す各情報を対象多機能機に順次送信し、各設定項目の可否情報を対象多機能機から順次取得してもよい。この場合、各設定項目に対応する各可否情報が「デバイス情報」の一例である。即ち、「デバイス情報」は、「対象デバイスに設定可能な設定項目に関連する情報（この情報は、実施例の項目情報２４４，２４６のみならず、本変形例の不可能情報及び可否情報を含む）」と言い換えることができる。
【００６３】
（変形例５）実施例では、コピー先指定画面１２０とコピーメイン画面１１０ｂとが別画面であるが、それに代えて、画像データ供給部６２は、コピー先指定画面１２０とコピーメイン画面１１０ｂとを含む１個の画面を表わす１個の画面データを生成してもよい。本変形例では、当該１個の画面データのうち、コピー先指定画面１２０を表わす部分画面データが、「デバイス画面データ」の一例であり、当該１個の画面データのうち、コピーメイン画面１１０ｂを表わす部分画面データが、「第１の項目画面データ」の一例である。
【００６４】
（変形例６）実施例では、画面データ供給部６２は、ＨＴＭＬ形式の画面データを生成するが、それに代えて、ウェブブラウザ９０が解釈可能な他の形式（例えばＸＨＴＭＬ形式等）の画面データを生成してもよい。
【００６５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００６６】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００６７】
２：ネットワークシステム、１０，９２〜９６：多機能機、１００：トップ画面、１１０ａ〜１１０ｅ：コピーメイン画面、１２０：コピー先指定画面、１３０：コピー結果画面、１４０：アドレス選択画面、１５０：保護アドレス画面、１６０：プロファイル画面、１７０：設定画面、Ｄ１〜Ｄ１０：設定項目、Ｖ１，Ｖ２：設定値
【図１】
0005577871.tif 000002
【図２】
0005577871.tif 000003
【図３】
0005577871.tif 000004
【図４】
0005577871.tif 000005
【図５】
0005577871.tif 000006
【図６】
0005577871.tif 000007
【図７】
0005577871.tif 000008
【図８】
0005577871.tif 000009
【図９】
0005577871.tif 000010
【図１０】
0005577871.tif 000011
【図１１】
0005577871.tif 000012
【図１２】
0005577871.tif 000013